(57)【要約】      （修正有）【課題】演奏中の糸巻き棒の弛み、空回りを起さない、高度な名人芸的技術の要求されている摺り合わせ工程を必要としない、糸巻き棒の弛み止め機構を提供する。【解決手段】沖縄三線の糸倉に螺合している糸巻き棒を回転操作する事で、既に糸巻き棒先端に固着している真鍮環上面と真鍮円柱下面との摺接で作り出す摩擦力が、糸巻き棒の回転を停止させるので、演奏中に起こる糸巻き棒の弛み、空回りを継続して阻止する効果を発揮すると共に、従来高度な技術が要求されている摺り合わせ調整工程を不要に出来る。【選択図】図１
2010049220.tif 000002
【特許請求の範囲】
【請求項１】
鐔付き真鍮円柱の上部を所要形状の円筒に加工を施し、真鍮円柱の下部中心から指定形状の螺旋を穿ち、螺合する小型ボルトとの間に、回動する真鍮環を螺合挟装し、小型ボルトの摺接により摩擦力を作り出す調音具サワリ機構に関わる構成とした、弦楽器沖縄三線の改良方法。
【請求項２】
沖縄三線の糸倉部分の所定位置に、内周壁に螺刻のある真鍮円筒を埋設し、糸巻棒の先端へ、外周に螺刻と下端に小孔のある真鍮環を固着させると共に、外周に螺刻のあるツマミ付き真鍮円柱とを、既に埋設してある真鍮円筒内周壁に、螺合させ、回動するツマミ付き真鍮円柱下面と糸巻棒先端に固着の真鍮環上面との摺接により摩擦力を作り出す調音具弛み止め機構に関わる構成とした請求項１記載の弦楽器沖縄三線の改良方法。
【発明の詳細な説明】
【技術分野】
【０００１】  本発明は、１丁の沖縄三線で、島唄と奄美の民謡の音色を味わうと共に、演奏中糸巻棒の弛まない摺り合せ調整を必要としない弦楽器沖縄三線の調音具に関する。
【背景技術】
【０００２】  本土民謡愛好者の間で、沖縄の三線と、奄美の三線は同じ蛇皮を使っているのに、１丁で両方に使えるように出来ないものかと云う言葉が交わされており、両地方の島唄と民謡を１丁の三線で、且つ数字符譜で習いたいと云う希望者が多く見受けられる。【０００３】  初心者が糸巻き棒を回し任意の音階の位置で、弛まないように使いこなすには、コツの体得が出来ないと、糸巻き棒が戻ったり、弛んだりしてしまい、コツを掴むのに可なりの年月が必要である。【０００４】  又、演奏中、糸巻棒の戻り、弛みを起こさない為に摩擦力を創り出すには、名人芸に等しい、高度の摺り合せ技術を要求されている。
【特許文献】特開平０５−９７５５１０号  公報
【非特許文献】サワリ  三味線の一の糸の開放弦を弾いた時おこるビーンと云う複雑な響きをサワリの音と云う。尚、サワリは一の糸がサワリの山に触れて振動しビーンと云う複雑で余韻のある音を出す。このサワリの工夫は江戸時代の中頃に固定されたと云われているとの事で主として太棹の清元節三味線、津軽三味線に用いられている。【非特許文献】仮称、中空Ｗボルト  ２ッに分割した中空ボルトでナットの内周を回動させると、双方のボルトの下面と上面で摺接が起こり同時に摺接部分の他、ボルトとナットの総べてのネジ山に摩擦が発生して、摺接面の分離が困難となる作用効果を云う。
通常、二重ナットの用い方は、ボルトを固定してナットを回転して使用するが、仮称、中空二重ボルト機構は、ナットを固定して中空ボルトを２分割し、其々の役割りを反転した作用効果を転用した構成である。
【発明の開示】
【発明が解決しようとする課題】
【０００５】  以上に述べた、沖縄三線、奄美三味線は、共に胴へ蛇皮を使用してはいるが、沖縄三線のポン、ポンと明るい響きであるのに対し、棹の構造上の違いで、奄美三味線は本土三味線と同様ビーン、ビーンと響くサワリの音の響きになっている。【０００６】  従来数種類の三味線用調音具、弛み止め機構が用いられているが、概ね糸巻棒を切断、刳り抜く等していると共に、機構の部品数が多いが為に複雑な作業上程を経ているので故障が生じ易い。【０００７】  又、弦楽器ウクレレのベクを三線用に流用した弛み止め機構もあるが、馴染みが少ないので東洋弦楽器には不似合に映る。【０００８】  本発明は、このような従来の構成が有していた問題を解決しようとするものであり、奄美三味線が不足しているサワリの音量を増加すると共に、弛み止め機構を作成時、紫檀黒檀、象牙等の貴重な糸巻き棒を切断、刳り抜き等する事無く、糸巻き棒の原型を保った儘、又、高度な摺り合せ作業を行わずに済む、弛み止め機構の実現を目的とするものである。
【課題を解決する手段】
【０００９】  本発明は、上記目的を達成させるための請求項１の解決手段は、鐔付き真鍮円柱の上部を所要形状の円筒に加工してから、真鍮円柱の下面鐔側の中心から所定形状の螺線を穿ち、螺合する鐔付き小型ボルト下面の鐔との間に、回動する真鍮環を挟装して後、螺合させてある小型ボルトの上部に木材円柱小片を任意接着剤を用いて固着し、回動する真鍮環縁上面と鐔付き真鍮円柱下部鐔面との摺り接に依り摩擦力を作り出す調音具サワリ機構の構成である。
【００１０】  又、請求項２の解決手段は、沖縄三線の糸倉部分の所定位置に、内周壁に螺刻のある真鍮円筒を埋設し、糸巻棒の先端へ、外周に螺刻と下端に小孔のある真鍮環を固着させると共に、外周の下部に螺刻のあるツマミ付き真鍮円柱とを、すでに埋設してある真鍮円筒内周壁に、其々を螺合させ、回動するツマミ付き真鍮円柱下面と糸巻き棒先端に固着の、真鍮環上面との摺接に依り摩擦力を作り出す調音具糸巻き棒の弛み止め機構の構成である。
【００１１】  上記請求項１の課題解決手段による作用は、沖縄三線と奄美三味線は同じ蛇皮を振動膜として用いているが、沖縄三線は太棹を用いているのに対して、奄美三味線は細棹を用いている為、胴の型と皮は同じであっても、其々の響きに大差が生じている。
【００１２】  そこで、沖縄三線が不足しているサワリの音の響きを補う為、サワリ機構を沖縄三線の第１弦の直下の歌口下部の所定位置に穿孔装着すると共に、弦を細手のナイロン糸を使用する事により、近似の奄美三味線の響を作り出す効果を発揮する。
【００１３】  上記請求項２の課題解決手段による作用は、従来糸巻き棒は、紫檀、黒檀、象牙等の貴重な天然素材が用いられており、これ等素材を切断、刳り抜き等を行わずに原形を保った儘で、演奏中に起こる糸巻き棒の弛み、空回り防止策として、建設業界で特殊個所に用いられている、公知の二重ナット方式の、ナットとボルトの作用効果を転用した、仮称、中空二重ボルト方式で糸巻き棒の弛み、空回り等の起こるを阻止することが出来る。
【発明の効果】
【００１４】  上述したように、沖縄三線は太棹の為に奄美三味線のビーンと余韻のある響を発生させる事が出来ないので、サワリの音の作り出せるサワリ機構を沖縄三線の第一弦の直下歌口下端の所定位置に装着すると共に、細手のナイロン糸に替え糸する事で近似の奄美三味線の音色を提供出来る。
【００１５】  又、細手ナイロン糸を絹糸に替える事で、近似の本土民謡、童謡、唱歌、流行歌の音色を提供出来るので、遠く祖国を離れた海外駐在者が、１丁の沖縄三線で、３通りの音色を味わう事が可能である。
【００１６】  又、本来、三味線の糸巻き棒の弛み止めに関わる摺り合わせ作業は、名人芸的、高度な摺り合わせ技術が要求されているが、本発明は、糸巻き棒を切断、刳り抜き等せずに、原形を保った儘、構造が簡単で、部品数の少ない、組立容易で、且つ摺り合わせ工程の不要な、初心者でも苦労せずに音づくりが指先の僅かな力で調整出来る調音具、糸巻き棒弛み止め機構を提供する。
【発明の実施する為の最良の形態】
【００１７】  以下、本発明の請求項１の調音具サワリ機構の実施の形態を図２に基づいて説明する。沖縄三線の歌口の下部１０に１０ミリ、第一弦直下にΦ７ミリの穴を穿って既に装着してあるΦ７ミリ長さ１６ミリの四角形鐔付き真鍮円柱１と螺合している、Φ３ミリ鐔Φ８ミリ、厚さ４ミリの小型ボルト３を回転して、仝ボトルの先端に固着してあるΦ６ミリ長さ７ミリの木材円柱小片７の半円形に加工してある先端部分を、第１弦に接触させてサウナの音を作り出させ、小型ボルト３と四角形鐔付き真鍮円柱１との間に狭装してある、回動するΦ１０ミリ厚さ３ミリの真鍮環５を回動して真鍮環上面８と四角形鐔付き真鍮円柱下面９との摺接により起こる摩擦力で、小型ボルト３の回転を停止させる事で、サワリの音の所要音量の発生を継続して維持する事が出来る。
【００１８】  又、本発明の請求項２の調音具糸巻き棒の弛み止め機構の実施の形態を図３に基づいて説明する。沖縄三線の糸倉部分の１１，１２，１３の所定位置に、Φ１０ミリ深さ１０ミリ真鍮円筒を埋設し、既に埋設してある四角形鐔付き真鍮円筒１１Ａに螺合している糸巻き棒にある糸目孔にナイロン弦を通して後、糸巻き棒を回転して四角形鐔付き真鍮円筒１１Ａに螺合している、ツマミ付きΦ８ミリ長さ１７ミリの真鍮円柱１１Ｂを回転して糸巻き棒先端に固着している、真鍮環上面１１Ｅと、ツマミ付き真鍮環円柱下面１１Ｄとの摺接に依り起こる摩擦力により糸巻き棒の回転を停止させて、演奏中に起こっていた糸巻き棒の弛み、空回りを阻止する事が出来る。
【００１９】  以下、上記サワリ機構の構成の動作を説明する。沖縄三線の本体にある歌口１０の下部の第１弦真下に、既に装着してある四角形鐔付き真鍮円柱１と螺合している小型ボルト３を右回りに回転して、仝ボルトの先端に固着している木材円柱小片７の半円形に加工した先端部分を回転して押し上げ、沖縄三線の第１弦への接触を試み接触圧力に正比例して増減するサワリの音を作り出させ、所要音量の得られた時点で、小型ボルト３と四角形鐔付き真鍮円柱１との間に狭装してある、回動する真鍮環５を右回りに回転して真鍮環上面８と四角形鐔付き真鍮円柱下面９並びに全ネジ山の表裏との摺接に依り起こる摩擦力で、小型ボルト３の回転を停止させる事で、所要音量のサワリの音の発生を継続して維持する作用効果が得られる。
【００２０】  以下、上記糸巻き棒の弛み止め機構の動作を説明する。沖縄三線の糸倉部分の１１、１２、１３に、既に埋設し、螺合している調音具、弛み止め機構の糸巻き棒に其々ある、糸目孔に順次ナイロン糸を通し、左手で５〜６回糸巻き棒を右回りに回転した時点で、四角形鐔付き真鍮円筒１１Ａに螺合している、ツマミ付き真鍮円柱１１Ｂを右手指先で、半回〜１回、左回りに回転させて、糸巻き棒先端に固着してある真鍮環上面１１Ｅと、ツマミ付き真鍮円柱下面１１Ｄ並びに全ネジ山の表裏との摺接に依り起こる摩擦力により糸巻き棒の回転を停止させる事で、演奏中に起こっていた、糸巻き棒の弛み、空回りを阻止する作用効果を継続して発揮する。
【図面の簡単な説明】
【００２１】
【図１】  本発明の沖縄三線の糸倉部分の外観図
【図２】  サワリ機構の展開図
【図３】  糸巻棒の弛み止め機構の展開図
【符号の説明】
【００２２】  １０  調音具サワリ機構
１１  弛み止め機構
１２  弛み止め機構
１３  弛み止め機構
【図１】
2010049220.tif 000003
【図２】
2010049220.tif 000004
【図３】
2010049220.tif 000005